(57)【要約】吸収性物品と共に使用する体液処理デバイスが開示される。体液処理デバイスは、身体に面する表面と、吸収性物品と共に使用する時にはその吸収性物品に面する対向表面とを有する。体液処理デバイスは、着用者の生殖器領域を被覆するために着用者の身体に取り付けるための、身体に面する表面に設けられた第一取り付け手段と、身体に面する表面と対向表面の間に配置された獲得層とを含む。流体が身体に面する表面から対向表面に向かって体液処理デバイスを通過するように、身体に面する表面の少なくとも一部は流体透過性であり、対向表面の少なくとも一部は流体透過性である。体液処理デバイスはバッグに接合され得る。
2004528898.tif 000002
【特許請求の範囲】
【請求項１】
吸収性物品と共に使用される体液処理デバイスであって、身体に面する表面と、吸収性物品と共に使用する時には該吸収性物品に面する対向表面とを有し、
着用者の生殖器領域を被覆すべく着用者の身体に取り付けるための、該身体に面する表面上に設けられた第一取り付け手段と、該身体に面する表面と該対向表面との間に配置された獲得層とを含み、
流体が該身体に面する表面から該対向表面に向かって該体液処理デバイスを通過するように、該身体に面する表面の少なくとも一部が流体透過性であり、該対向表面の少なくとも一部が流体透過性である、吸収性物品と共に使用される体液処理デバイス。
【請求項２】
該体液処理デバイスが該獲得層の下に配置された分配層を含む、請求項１に記載の体液処理デバイス。
【請求項３】
該体液処理デバイスが、該身体に面する表面上に配置された流体透過性トップシートと、該対向表面上に配置された流体透過性バックシートとを含み、該獲得層が、該流体透過性トップシートと該流体透過性バックシートとの間に配置される、請求項１に記載の体液処理デバイス。
【請求項４】
該第一取り付け手段が、該体液処理デバイスの周囲に設けられる、請求項３に記載の体液処理デバイス。
【請求項５】
該流体透過性バックシートが、バックシート開口を有する流体不透過性材料を含む、請求項４に記載の体液処理デバイス。
【請求項６】
吸収性物品と共に使用される身体排出物処理デバイスであって、該身体排出物処理デバイスが体液処理デバイスとバッグとを具備し、
該体液処理デバイスが、身体に面する表面と、該吸収性物品と共に使用する時には該吸収性物品に面する対向表面とを含み、着用者の生殖器領域を被覆すべく着用者の身体に取り付けるための、該身体に面する表面上に設けられた第一取り付け手段と、該身体に面する表面と該対向表面との間に配置された獲得層とを含み、流体が該身体に面する表面から該対向表面に向かって該体液処理デバイスを通過するように、該身体に面する表面の少なくとも一部が流体透過性であり、該対向表面の少なくとも一部が流体透過性であり、、
該バッグが、バッグ開口と、着用者の肛門周囲領域に取り付けるための、該バッグ開口に近接して配置された第二取り付け手段とを含み、
該体液処理デバイスが該バッグに接合される、吸収性物品と共に使用される身体排出物処理デバイス。
【請求項７】
該体液処理デバイスが、該バッグ開口に近接する該バッグの一部に接合される、請求項６に記載の身体排出物処理デバイス。
【請求項８】
該体液処理デバイスが、該身体に面する表面上に配置された流体透過性トップシートと、該対向表面上に配置された流体透過性バックシートとを含み、該獲得層が、該流体透過性トップシートと該流体透過性バックシートとの間に配置される、請求項６に記載の身体排出物処理デバイス。
【請求項９】
該第一取り付け手段が、該体液処理デバイスの周囲に設けられる、請求項８に記載の身体排出物処理デバイス。
【請求項１０】
該体液処理デバイス周囲の一部が、該バッグの一部に接合される、請求項９に記載の身体排出物処理デバイス。
【請求項１１】
該第一取り付け手段と該第二取り付け手段が一体的に設けられる、請求項１０に記載の身体排出物処理デバイス。
【発明の詳細な説明】
【技術分野】
【０００１】
本出願は、吸収性物品と共に使用する体液処理デバイスに関する。より具体的には、本出願は、糞便などの排出された身体排出物から吸収性物品の着用者の生殖器領域を保護するための体液処理デバイスに関する。
【背景技術】
【０００２】
主に失禁者及び幼児が着用するように設計された糞便処理デバイスなどの身体排出物処理デバイスが知られている。かかる糞便処理デバイスは、着用者の肛門周辺に取り付けて、糞便物質及び他の身体排泄物を捕捉し、直ちに収容するように意図されている。結果として、これらデバイスは、着用者の皮膚を汚すという問題を排除する、表皮の刺激を減らす、衣服及び寝具などの物品が汚れるのを防止する、及び看病人自身が汚れるのを防止する上でも機能的に有効である。にもかかわらず、かかる糞便処理デバイスの使用中にしばしば遭遇する問題は、糞便物質の中には、着用者の敏感な生殖器領域に向かって、特に女性の着用者の場合には着用者の膣前庭内に流動し得るものもあるということである。典型的には、かかる糞便物質の存在は、この領域における不衛生な感染を引き起こす可能性がある。かかる状態は、寝たきりの着用者又は幼児にとって最も望ましくなく、不快であり、苦しいものである。
【０００３】
糞便処理デバイスからの糞便物質の漏れを防止する多くの試みがなされてきた。改良のための１つの試みは、糞便処理デバイスを着用者の皮膚に密着させる手段を設けることである。かかる糞便処理デバイスは、糞便物質を中に収容するバッグを有する。このバッグは、糞便物質をそこから受容する開口を有する。また、このバッグは開口周囲に接着取り付け手段を有するので、バッグの開口が着用者の肛門周囲領域に固定され、着用者の皮膚と糞便処理デバイスの間に改良されたフィット感が達成される。
【０００４】
糞便物質の漏れを防止する別の改良は、例えば、１９９９年１月７日に発行されたＰＣＴ国際公開特許ＷＯ９９／０００８４に開示されている。ＰＣＴ国際公開特許ＷＯ９９／０００８４は、開口と、その開口を取り囲む解剖学的形状のフランジとを有するバッグを含む糞便処理デバイスを開示している。このフランジにより、着用者の肛門周囲領域への接着取り付けがなされる。特に、フランジの前部は、フランジと着用者の皮膚の間を効果的に封止し、生殖器領域への漏れを防止する突起を含む。このデバイスは、着用者の生殖器領域周縁でひだにぴったりとフィットすることで、封止を向上させる。２０００年６月６日に発行されたＰＣＴ国際公開特許ＷＯ００／００１２８は、バッグ及びフランジを有する糞便処理デバイスを開示している。このフランジは後部に突起を含み、後側でフランジと着用者の皮膚の間を効果的に封止する。１９９９年１月７日に発行されたＰＣＴ国際公開特許ＷＯ９９／０００８７は、バッグ及びフランジを有する糞便処理デバイスを開示している。このフランジは前部と後部に突起を含み、それぞれ前側と後側でフランジと着用者の皮膚の間を効果的に封止する。
【発明の開示】
【発明が解決しようとする課題】
【０００５】
これらの試みは、糞便処理デバイスと着用者の皮膚の間のフィット感を向上させ、糞便物質が、デバイスと皮膚との隙間を通って着用者の生殖器領域の方へ漏れるのを防止する上で有効である。しかしながら、バッグに収容された糞便物質は、バッグ及びその中に収容された糞便物質を圧縮する身体の圧力などにより、バッグから爆発的に漏れる可能性がある。これが起こると、着用者の生殖器領域は、バッグから漏れた糞便物質で汚れてしまう。従って、糞便物質などの身体排泄物から生殖器領域を保護すべく着用者の生殖器領域を被覆するデバイスを提供することが望ましい。
【課題を解決するための手段】
【０００６】
本発明は、吸収性物品と共に使用させる体液処理デバイスに関する。体液処理デバイスは、身体に面する表面と、吸収性物品と共に使用する時にはその吸収性物品に面する対向表面とを有する。体液処理デバイスは、着用者の生殖器領域を被覆するために着用者の身体に取り付けるための、身体に面する表面に設けられた第一取り付け手段と、身体に面する表面と対向表面の間に配置された獲得層とを含む。流体が身体に面する表面から対向表面に向かって体液処理デバイスを通過するように、身体に面する表面の少なくとも一部は流体透過性であり、対向表面の少なくとも一部は流体透過性である。
【０００７】
本発明は更に、吸収性物品と共に使用する身体排出物処理デバイスに関する。身体排出物処理デバイスは、体液処理デバイスと、バッグとを含む。体液処理デバイスは、身体に面する表面と、吸収性物品と共に使用する時にはその吸収性物品に面する対向表面とを有し、着用者の生殖器領域を被覆するために着用者の身体に取り付けるための、身体に面する表面上に設けられた第一取り付け手段と、身体に面する表面と対向表面の間に配置された獲得層とを含む。流体が身体に面する表面から対向表面に向かって体液処理デバイスを通過するように、身体に面する表面の少なくとも一部は流体透過性であり、対向表面の少なくとも一部は流体透過性である。バッグは、バッグ開口と、着用者の肛門周囲領域に取り付けるための、バッグ開口に近接して設けられた第二取り付け手段とを有する。体液処理デバイスは、バッグに接合される。
【０００８】
本発明のこれら及び他の特徴、態様、及び利点は、本開示を読むことにより当業者にとり明白となる。
【発明を実施するための最良の形態】
【０００９】
本明細書は、本発明を特定して指摘し明白に請求する特許請求にて結論とするが、次の好ましい実施形態の説明を添付図面と関連して読むことにより、本発明を更に良く理解できると考えられる。
【００１０】
本明細書に引用した全ての参考文献は、その全体を本明細書において参照により組み入れる。いずれの参考文献の引用も、特許請求されている本発明に対する先行技術としての利用可能性に関するいかなる決定についても容認するものではない。
【００１１】
用語「含む」は、本明細書において使用する時、最終結果に影響しない他の工程及び他の成分も加え得ることを意味する。この用語は、用語「からなる」及び「から本質的になる」を包含する。
【００１２】
用語「生殖器」又は「生殖器領域」は、本明細書において使用する時、外性器を指す。外性器には、女性の大陰唇、小陰唇、陰核、膣前庭、尿道及び膣を含む着用者の身体部分、及び男性の陰茎を含む着用者の身体部分が含まれる。「身体排出物処理デバイス」は、本明細書において使用する時、糞便を捕集してデバイス内に収容すべく少なくとも着用者の肛門周囲領域を被覆するデバイスを指す。身体排出物処理デバイスは、体液処理デバイスを含む。身体排出物処理デバイスはまた、糞便処理デバイスも含む。用語「吸収性物品」は、本明細書において使用する時、身体排出物を吸収し収容するデバイスを指し、更に具体的には、着用者の身体に押し付けて又は近接して配置されて、身体から排出される種々の排出物を吸収して収容するデバイスを指す。用語「使い捨て」は、本明細書において、洗濯、又はそうでなければ吸収性物品として修復、若しくは再使用することを意図されない（即ち、１回の使用の後に廃棄、好ましくはリサイクル、堆肥化、又はそうでなければ環境に適合する方法で処分することを意図される）吸収性物品を記述するために使用する。用語「おむつ」は、本明細書において使用する時、一般に幼児及び失禁者が胴体下部周りに着用する吸収性物品を指す。
【００１３】
図１は、本発明の一実施形態としての、体液処理デバイス１２を有する身体排出物処理デバイス１０の斜視図である。より具体的には、身体排出物処理デバイス１０は、バッグ１４と、このバッグ１４に接合された体液処理デバイス１２とを有する。用語「接合された」又は「接合している」は、本明細書において使用する時、ある要素が別の要素に直接取り付けられることによってこのある要素が別の要素に直接固定される構成、及び、ある要素が１つ又は複数の中間部材に取り付けられ、次いで中間部材が別の要素に取り付けられることによって、このある要素が別の要素に間接的に固定される構成を包含する。身体排出物処理デバイス１０は、使い捨ておむつなどの吸収性物品と共に使用される。身体排出物処理デバイス１０は、使用中、使い捨ておむつの内側に置かれてもよい。
【００１４】
体液処理デバイス１２は、好ましくは糞便物質などの身体排出物から生殖器領域を保護すべく着用者の生殖器を被覆するために、着用者の生殖器領域に近接して使用されることを意図されている。体液処理デバイスは、着用者の生殖器領域が吸収性物品内で流動しているかもしれない糞便物質に曝露されるのを防止するか、又は少なくとも生殖器領域の糞便物質へのかかる曝露を低減し、それにより、糞便物質により生殖器領域が汚されるのを防止するか、若しくは少なくとも低減する。体液処理デバイスは、男性又は女性の着用者の生殖器領域を被覆する。体液処理デバイスは、女性生殖器の複雑な解剖学的構造を清潔に保ち、女性生殖器における糞便物質による不衛生な感染を排除するために女性用として使用する場合に特に有用である。体液処理デバイスは、着用者の尿道及び／又は膣を含む生殖器領域を被覆するように配置されることを意図されているため、この体液処理デバイスは、尿及び／又は経血に対して、デバイスの身体側からデバイスの反対側への流体透過性を有するべきである。好ましくは、体液処理デバイスはまた、体液を迅速に獲得することができるため、身体から又は身体と体液処理デバイスの間の隙間から尿又は経血などの体液を迅速に除去する。好ましくは、体液処理デバイス１２は、その中に体液を保持することもなく、体液処理デバイス１２から大部分の体液を流出させることもない。
【００１５】
体液処理デバイス１２は、いかなる形状及び大きさであってもよい。体液処理デバイス１２は、女性用に使用される時、好ましくは生殖器領域を被覆及び保護するような大きさを有し、好ましくは生殖器領域だけでなく着用者の会陰の一部も被覆するような大きさを有してもよい。しかしながら、体液処理デバイスは肛門を被覆すべきではない。体液処理デバイスは平坦であるか、又は好ましくは体液処理デバイスを取り付ける身体の輪郭に沿うような解剖学的形状であってもよい。図１〜図３に示す体液処理デバイス１２は、女性用に設計された体液処理デバイスの一実施形態である。あるいは、体液処理デバイスは、男性用に使用される時、好ましくは着用者の陰茎を被覆及び保護するような大きさを有し、好ましくは陰茎だけでなく陰嚢の一部又は全体も被覆するような大きさを有してもよい。男性用の体液処理デバイスは、平坦であるか、カップ状であるか、又は好ましくは体液処理デバイスを取り付ける身体の輪郭に沿うような解剖学的形状であってもよい。カップ状のデバイスが男性には好ましい。
【００１６】
体液処理デバイス１２は、身体に面する表面５２と、吸収性物品と共に使用する時にはその吸収性物品に面する対向表面５４とを有する。体液処理デバイス１２は、生殖器領域を被覆するために着用者の身体に取り付けるための、体液処理デバイス１２の身体に面する表面５２に設けられた第一取り付け手段５０を含む。体液処理デバイス１２はまた、身体に面する表面５２と対向表面５４の間に配置された獲得層６０（図２に示す）を含む。流体が身体に面する表面５２と対向表面５４を通過するように、身体に面する表面５２の少なくとも一部は流体透過性であり、対向表面５４の少なくとも一部は流体透過性である。身体に面する表面５２全体が流体透過性であってもよい。対向表面５４全体が流体透過性であってもよい。
【００１７】
図１及び図２に示す実施形態において、図１及び図２に示す体液処理デバイス１２は、平坦なパッドのような構成を有する。本実施形態の体液処理デバイス１２は、好ましくは身体に面する表面５２上に配置された流体透過性トップシート５６と、対向表面５４上に配置された流体透過性バックシート５８と、トップシート５６の下に配置された獲得層６０と、獲得層６０の下に配置された分配層６２とを含む。分配層６２の下に別の獲得層が設けられてもよい。しかしながら、体液処理デバイス１２が流体透過性を有し、かつ着用者の生殖器領域を保護する限り、これらの要素全てを有する必要はない。あるいは、例えば、身体に面する表面５２から対向表面５４への流体透過性、体液の迅速な獲得、及び／又は体液処理デバイス１２からの体液の迅速な排出などの体液処理デバイス１２の機能を向上させるべく、いかなる他の層又は材料が体液処理デバイス１２の構造のいかなる位置に挿入されてもよい。体液処理デバイス１２はまた、着用者の生殖器領域を被覆すべく着用者の身体に取り付けるための、体液処理デバイス１２の身体に面する表面５２上に設けられた第一取り付け手段５０を含む。
【００１８】
流体透過性トップシート５６は、身体に面する表面５２上に配置され、好ましくはトップシート５６及びバックシート５８の周囲に沿って、接着剤、熱、圧力又は熱と圧力などの取り付け手段（図示せず）により好ましくは流体透過性バックシート５８に接合され、周囲端６６を形成する。
【００１９】
流体透過性トップシート５６は、好ましくは柔軟であり、柔らかな感触であって、着用者の皮膚を刺激しない。更に、トップシート５６は流体透過性であり、体液（例えば、尿又は経血）がその厚さを容易に通過することを許容する。好適なトップシート５６は、織布材及び不織布材、開孔成形熱可塑性フィルム、開孔プラスチックフィルム、及びハイドロフォーミングされた熱可塑性フィルムなどの高分子材料、多孔質発泡体、網状発泡体、網状熱可塑性フィルム、並びに熱可塑性スクリムなどの広範な材料から製造することができる。好適な織布材及び不織布材は、天然繊維（例えば、木材繊維若しくは綿繊維）、合成繊維（例えば、ポリエステル繊維、ポリプロピレン繊維、若しくはポリエチレン繊維のようなポリマー繊維）、又は天然繊維と合成繊維との組み合わせからなることができる。トップシート５６は、好ましくは、トップシート５６を通過した体液から着用者の皮膚を隔て、再湿潤を防止すべく、疎水性材料から作られる。トップシート５６が疎水性材料から作られる場合、トップシート５６の少なくとも上面は、体液がトップシートからより速やかに移動するように親水性に処理されてもよい。これは、体液がトップシート５６を通って獲得層６０により獲得される代わりに、トップシート５６から溢れ出てしまう可能性を低減する。トップシート５６は、界面活性剤で処理することにより親水性にすることができる。トップシート５６を界面活性剤で処理する好適な方法としては、トップシート５６の材料に界面活性剤を噴霧すること、及びこの材料を界面活性剤中に浸漬することが挙げられる。これら処理と親水性に関するより詳しい説明は、１９９１年１月２９日にレイジング（Reising）らに対して発行された「多層からなる吸収性多層体を備える吸収性製品（Absorbent Articles with Multiple Layer Absorbent Layers）」という名称の米国特許第４，９８８，３４４号、及び１９９１年１月２９日にレイジング（Reising）に対して発行された「急速獲得吸収性コアを備える吸収性製品（Absorbent Articles with Rapid Acquiring Absorbent Cores）」という名称の米国特許第４，９８８，３４５号に含まれ、それら特許の各々は本明細書において
参照により組み入れる。
【００２０】
別の好ましいトップシートには、開孔成形フィルムが含まれる。開孔成形フィルムがトップシートとして好ましいのは、それらが体液を透過させるが吸収はせず、体液を逆流させて再び着用者の皮膚を濡らす傾向が低いからである。したがって、身体に接触する該成形フィルムの表面が乾燥した状態に保たれ、それにより身体の汚れを低減させ、着用者に更に快適感をもたらす。好適な成形フィルムは、１９７５年１２月３０日にトンプソン（Thompson）に対して発行された「テーパー形状の毛管を有する吸収性構造体（Absorptive Structures Having Tapered Capillaries）」という名称の米国特許第３，９２９，１３５号、１９８２年４月１３日にムラン（Mullane）らに対して発行された「耐汚性トップシートを有する使い捨て吸収性物品(Disposable Absorbent Article Having A Stain Resistant Topsheet)」という名称の米国特許第４，３２４，２４６号、１９８２年８月３日にラデル（Radel.）らに対して発行された「繊維のような特性を呈する弾性プラスチックウェブ（Resilient Plastic Web Exhibiting Fiber-Like Properties）」という名称の米国特許第４，３４２，３１４号、１９８４年７月３１日にアール（Ahr）らに対して発行された「非光沢可視表面及び布地のような触感を呈する巨視的に拡大された三次元プラスチックウェブ（Macroscopically Expanded Three-Dimensional Plastic Web Exhibiting Non-Glossy Visible Surface and Cloth-Like Tactile Impresssion）」という名称の米国特許第４，４６３，０４５号及び１９９１年４月９日にべアード（Baird）に対して発行された「多層ポリマーフィルム（Multilayer Polymeric Film）」という名称の米国特許第５，００６，３９４号に記載されている。これら特許のそれぞれを、本明細書において参照により組み入れる。
【００２１】
流体透過性バックシート５８は、対向表面５４上に配置され、好ましくは流体透過性トップシート５６に接合される。流体透過性バックシート５８は流体透過性であり、体液（例えば、尿又は経血）が身体側から吸収性物品と共に使用する時にはその吸収性物品側に向かってその厚みを容易に通過することを許容する。流体透過性バックシート５８は、上述の流体透過性バックシート５６の使用に好適ないかなる材料を含んでもよい。流体透過性バックシート５８は、体液処理デバイス１２から吸収性物品まで流体が速やかに移動できるように、流体透過性トップシート５６よりも流体に対して透過性であってもよい。図２に示す実施形態において、流体透過性バックシート５８は、例えばポリエチレン及び／又はポリプロピレンを含むプラスチックフィルムなどの流体不透過性材料を含む。流体不透過性材料は、蒸気を逃がす材料であってもよい。図２に示す実施形態における流体不透過性材料に流体透過性を付与するために、バックシート開口６４がバックシート５６に形成される。バックシート開口６４は、獲得層６０又は分配層６２が設けられる場合にはそれらとほぼ同じ大きさであるが、獲得層６０又は分配層６２の周囲を支持するために僅かに小さい１つの開口を含んでもよい。あるいは、バックシート開口６４は、バックシート５６に形成された複数の開口を含んでもよい。開口の大きさは、好ましくは、バックシート開口６４を通過する流体を妨げないように選択される。バックシート開口６４の総開口面積は、２０ｃｍ２以上、好ましくは５０ｃｍ２、より好ましくは１００ｃｍ２であってもよい。しかしながら、本明細書における範囲は、望ましい範囲を示すものであり、流体の通過を円滑にするのに十分である限り本明細書で述べる範囲よりも小さくてもよいことに留意すべきである。平均開口の大きさの上限は任意である。典型的には、デバイスの設計の拘束によって決定される（例えば、平均開口の大きさがデバイスの大きさを超えることはできない）。
【００２２】
獲得層６０は、トップシート５６から離れたところで体液の大部分を迅速に獲得可能であるように、好ましくは分配層６２などの下地層が設けられる場合にはそこに向かって、又は吸収性物品のトップシートに向かって体液の大部分を移動可能であるように、流体透過性トップシート５６の下に配置される。獲得層６０は、多孔性発泡体、網状発泡体、開孔プラスチックフィルム、又は天然繊維（例えば、木材又は綿繊維）、合成繊維（例えば、ポリエステル又はポリプロピレン繊維）又は天然繊維と合成繊維の組み合わせからなる織布若しくは不織布ウェブなどの広範な材料から製造してもよい。獲得層が繊維を含む場合、繊維は、スパンボンド、カーディング、湿式載置、メルトブロウン、湿式交絡、さもなければ当該技術分野において知られているように処理されてもよい。獲得層６０は、分配層６２などの下地層又は吸収性物品のトップシートの材料が通過して着用者の皮膚と接触しないような孔のサイズを有するように設計される。下地層の通過を許容するほどの大きい孔のサイズを有する必要はないが、獲得層６０は、好ましくは下地層の孔のサイズよりも大きいサイズの孔を有する。好ましくは、獲得層６０は、下地層よりも低親水性である。獲得層６０は、その初期湿潤性を高めるべく界面活性剤で処理されてもよい。しかしながら、界面活性剤で処理する時、獲得層６０は下地層よりも低親水性のままでなければならない。獲得層を界面活性剤で処理する好適な方法としては、界面活性剤を獲得層６０に噴霧すること、及びその材料を界面活性剤中に浸漬することが挙げられる。あるいは、獲得層に界面活性剤が組み込まれてもよい。
【００２３】
分配層６２は、獲得層６０から体液（尿、経血など）を吸収することにより体液が獲得層６０から着用者の身体に戻らないようにするか、又は少なくとも体液が戻るのを低減するために、獲得層６０の下に設けられてもよい。分配層６２は、好ましくは、体液の大部分を吸収性物品のトップシートなどの下地層に移動させることができる。体液を着用者の皮膚から更に移動させて離すために、別の獲得層が分配層６２の下に設けられてもよい。分配層材料はある一定の親水性を呈するのが望ましい。しかしながら、これは必ずしも、これらが完全に親水性（つまり、水の湿潤角がほぼゼロであること）でなければならないことも、この親水性が全ての領域の全ての表面にわたって均一でなければならないことも意味するものではない。親水性は、セルロース性繊維を使用する時などは親水性ベース材料から、又は樹脂を配合された若しくは表面に塗布された界面活性剤と主に比較的疎水性であるポリマー材料から開始することにより達成することができる。あるいは、分配材料そのものは、例えば疎水性材料を含むウェブを形成した後に、それ自体が更に親水化され得、これは、界面活性剤の添加により親水性にされ得る。
【００２４】
多くの多孔性材料は、分配層６２用材料に好適であると考えられる。特に好ましい材料は、広範な弾性繊維を含む繊維性湿式載置ウェブである。例えば、二成分系繊維形態のポリエチレンテレフタレート、ポリエステル、ポリアミン、弾性ポリオレフィン又はこれらの組み合わせをベースとするような周知の合成繊維とは別に、特に好ましい繊維は、化学的に剛化され、撚り合わされたバルキングセルロース性繊維である。
【００２５】
用語「化学的に剛化され、撚り合わされ、カールされた繊維」は、本明細書で使用する時、乾燥条件及び水性条件の両方の下で繊維の剛性を増大させるべく、ある化学的手段によって剛化されたいかなる繊維をも意味する。かかる手段としては、例えば繊維に塗布及び／又は繊維を含浸する化学的硬化剤を添加することが挙げられる。かかる手段としてはまた、例えば架橋ポリマー鎖で繊維自身の化学的構造を変化させて繊維を剛化することも挙げられる。理論により拘束することを望まないが、親水性であることに加えて、これらの剛化繊維は、好ましくは実質的に「角化」している。従って、細胞壁は、湿らせた時に、認めうるほど膨張せず、網状組織内に空隙容量を維持する。化学的に剛化され、撚り合わされ、カールされたセルロース性繊維により、透過性、可撓性及び増大した親水性が得られる。例示のため、セルロース性繊維に塗布し得るか又はそれを含浸し得る他のポリマー硬化剤としては、窒素含有基（例えばアミノ基）を有する陽イオン性変性デンプンラテックス、ポリアミド−エピクロロヒドリン樹脂などの湿潤強力樹脂が挙げられ、例の架橋剤を繊維に塗布し、その塗布に続いて、繊維内架橋結合を化学的に形成することができる。これら架橋結合は、繊維の剛性を高めることができる。繊維を化学的に剛化するには繊維内架橋結合の利用が好ましいが、繊維を化学的に剛化する他の型の反応の除外を意味するものではない。更に好ましい剛化繊維において、化学処理としては、架橋剤による繊維内架橋が挙げられるが、かかる繊維は、比較的脱水され、離解され（つまり個別化され）、撚り合わされ、カールされた状態にある。好適な化学的硬化剤としては、架橋溶液を形成するための、酸官能性を有するＣ２〜Ｃ８ジアルデヒド及びＣ２〜Ｃ８モノアルデヒドを含むがこれらに限定されないモノマー性架橋剤が挙げられる。これら化合物は、単一セルロース鎖内の又は単一繊維に近接するセルロース鎖上の少なくとも２つのヒドロキシル基と反応することができる。剛化セルロース繊維の調製に使用を考慮しているこのような架橋剤としては、グルタールアルデヒド、グリオキサール、ホルムアルデヒド、及びグリオキシル酸等があるが、これらに限定するものではない。その他の好適な硬化剤として、クエン酸等のポリカルボキシレートがある。これら条件下における架橋の効果は、本明細書の吸収性製品内での使用中に撚り合わされカールした形状を保つ傾向のある、剛化した繊維を形成することである。
【００２６】
第一取り付け手段５０は、着用者の生殖器領域を被覆すべく着用者の身体に取り付けるために、体液処理デバイス１２の身体に面する表面５２上に設けられる。好ましくは、第一取り付け手段５０は、体液処理デバイス１２の周囲端６６に設けられるので、第一取り付け手段５０が流体透過性トップシート５６を通過する体液を妨げることはない。しかしながら、安定した取り付けのために、周囲端６６内側の流体透過性トップシート５６の一部に最少量の取り付け手段が設けられてもよい。第一取り付け手段５０は、好ましくは、糞便物質などの身体排出物が周囲端６６に沿ってデバイスと身体の間の間隙を通り、着用者の身体と体液処理デバイス１２の身体に面する表面５２の間の隙間に進入しないように、周囲端６６全体に沿って設けられる。あるいは、第一取り付け手段は、周囲端６６の一部が第一取り付け手段を持たないように、周囲端６６の一部に沿って設けられてもよい。これにより、身体に面する表面５２と着用者の皮膚の間の隙間に空気が循環する。第一取り付け手段５０は、トップシート５６の周囲及びバックシート５８の周囲により形成された周囲端６６上に直接設けられてもよい。あるいは、第一取り付け手段５０は、周囲端６６に接合されるフランジ（例えば、フランジシート）を経由して周囲端６６上に設けられてもよい（例えば、図１及び図２に示す実施形態において、第一取り付け手段５０は、第一フランジシート６８に接合され、次いで、その第一フランジシート６８が周囲端６６に接合される）。
【００２７】
第一取り付け手段５０は、着用者の身体に体液処理デバイス１２を取り付けるために安全に使用されるいかなる材料であってもよい。かかる取り付け手段はストラップを含み、より好ましくは身体適合性の感圧接着剤を含む。親水コロイド接着剤、ヒドロゲル接着剤又は油性接着剤などの医学的に認可されたいかなる耐水性感圧接着剤も取り付け手段５０として使用することができる。比較的痛みのない取り付けと取り外しが可能であり、敏感な生殖器領域における着用者の皮膚に固定する所望の接着特性を付与する上で特に有効な接着剤は、可塑剤を入れた架橋ポリマーから形成され、三次元マトリックスが形成される。第一取り付け手段５０は、スロットコーティング、スパイラル、又はビード塗布若しくは転写などの当該技術分野において知られているいかなる手段によっても、周囲端６６又は第一フランジシート６８が設けられている場合にはそれに塗布され得る。取り付け手段５０は、構想する最終用途により、２０ｇ／ｍ２〜２５００ｇ／ｍ２、好ましくは５００ｇ／ｍ２〜２０００ｇ／ｍ２、より好ましくは７００ｇ／ｍ２〜１５００ｇ／ｍ２の坪量で塗布されてもよい。例えば、乳児用に使用される生殖器保護デバイス１２の場合、取り付け手段５０の量は、活動できる成人失禁患者用に設計された身体排出物処理デバイスの場合よりも少なくてもよい。第一取り付け手段５０は、好ましくは、第一取り付け手段５０を保護するべく、シリコン処理を施した紙などの剥離手段（図示せず）で被覆される。剥離手段が存在する場合、身体排出物処理デバイス１０を着用者の皮膚に適用する前にそれを取り外す。
【００２８】
第一フランジシート６８が設けられている場合（図１及び図２に示す実施形態では設けられている）、この第一フランジシート６８は当業者に知られている任意の手段により周囲端６６に接合され、永久の又は取り外し可能な取り付けを設けることができる。好ましくは、第一フランジシート６８は、接着剤により周囲端６６に取り付けられる。第一フランジシート６８は、デバイスが対象とする着用者群に応じて、いかなる大きさで設けられてもよい。同様に、第一フランジシート６８は、いかなる形状で設けられてもよい。図１及び図２に示す実施形態において、第一フランジシート６８は、一般には第一取り付け手段５０と同一の広がりを持ち、より好ましくは、第一取り付け手段５０全体を支持すべく、第一取り付け手段５０よりも少し大きい。第一フランジシート６８は、非接着性であるローブ７０を有してもよいので、接着剤との接触を避けつつデバイスを配置及び除去し易くするのに役立つ。ローブ７０は、不織布などの柔軟な材料をその上に備えてもよい。図１に示す実施形態において、第一フランジシート６８は実質的に平坦であるが、解剖学的形状であってもよい。
【００２９】
第一フランジシート６８は、好ましくは、肛門周囲領域にフランジを配置し易くするために、柔軟であって、可撓性且つ可鍛性の材料から作られる。代表的な材料としては、不織布材、織布、連続気泡型熱可塑性発泡体、閉塞気泡熱可塑性発泡体、連続気泡型発泡体と伸縮性不織布の複合体、及びフィルム類が挙げられる。ポリエチレンの閉塞気泡発泡体が有効であることがわかっているが、連続気泡型ポリウレタン発泡体を使用するのがより好ましい。好ましくは、このような発泡体は、一般的な厚さ範囲０．１〜５ミリメートル及び密度５〜２５０ｇ／ｍ２、より好ましくは５０ｇ／ｍ２を有する。他の熱可塑性発泡材料、又はそのような発泡体の記載した特性（すなわち、柔らかさ、柔軟性、伸縮性、収縮性）を有する他の好適なプラスチックシート材料も使用することができる。
【００３０】
身体排出物処理デバイス１０のバッグ１４は、バッグ開口１６と、着用者の肛門周囲領域に取り付けるための第二取り付け手段３６とを有する。第二取り付け手段３６は、バッグ開口１６に近接して設けられる。
【００３１】
バッグ１４は、本明細書において使用する時、排泄された糞便物質を収容するための容器である。バッグ１４は、その用途に応じて、即ち、デバイスが寝たきり患者用であるのか、失禁を患っているか若しくは人工肛門を必要とする活動できる患者用であるのか、又は幼児用であるのかに応じて、いかなる形状又は大きさで設けることもできる。例えば、寝たきりの患者及び高齢の失禁患者は、一般には主として管状又は矩形に伸長したバッグを用いる。幼児又は成人にかかわらず、より活発な着用者に対しては、バッグは、好ましくは体の輪郭に沿うような解剖学的形状であるべきであって、それにより着用者は通常の衣類の下に目立たずに着用することができる。更に、バッグ１４は、好ましくは、着用者の臀部の間に少なくとも部分的に挿入及び保持され、フランジと着用者の皮膚との良好な接触を保証するような形状をなす。バッグ１４は、好ましくは、自由に活動する、即ち寝たきりでない着用者が着用しても、多様な着用条件下で糞便物質に十分な容量を設けるように設計される。例えば、バッグの上に着座すると、バッグのある領域の容量が大幅に減少する。従って、好ましくは、バッグは、着座などの着用条件下であまり圧力を受けない領域に十分な容量を備えるような形状をなす。バッグ１４は、いかなる捕捉物質も安全に収容するよう設計され、典型的には液体透過性であるが、通気性があってもよい。バッグ１４は、着座などの典型的な着用条件においてバッグ１４に圧力がかかる時にも、使用中に破裂しない程十分な強度を有するように設計される。バッグ１４は、一体の材料片で、又は多数の別個の材料片で作られてもよく、後者の場合、これらの材料片は同じでも異なってもよく、それぞれの周囲で継ぎ合わされる。
【００３２】
典型的には、このバッグは、着用者に面する表面と、衣類に面する表面とを有する。バッグの着用者に面する表面は、着用者の臀部に近接して配置される。従って、着用者に面する表面は、着用者の臀部を十分に被覆し、着用者の両大腿の間に垂れ下がることはない。１つの好ましい実施形態において、バッグ１４は、着用者に面する部分２０と衣類に面する部分２２とを有し、その両方は別個の材料片を含む。着用者に面する部分２０及び衣類に面する部分２２はバッグ１４の周囲で封止されて、バッグの周囲リム２４を形成する。図１に示す実施形態において、着用者に面する部分２０は、バッグ開口１６を有する平面様のシートを含む。衣類に面する部分２２は、衣類に面する部分２２と着用者に面する部分２０の隙間を形成し、バッグ内部に糞便物質を収容すべく三次元的に拡張可能なシートを含む。あるいは、衣類に面する表面は、三次元的に拡張可能なシートを含んでもよい。この三次元的に拡張可能なシートは、糞便物質がバッグ１４内に排出される時に、ひだが解放されて三次元的に拡張するように、平面シートを折りたたむことによって形成されてもよい。あるいは、三次元的に拡張可能なシートは、伸縮性フィルムなどの伸縮性材料で形成されてもよい。
【００３３】
バッグ１４の着用者に面する部分２２は、１つ又は複数の層を含んでもよい。好ましくは、着用者に面する部分２２は、内層２６及び外層２８を含む２つ以上の層を含む。内層２６は、典型的には、少なくとも部分的に糞便物質と接触する。外層２８は、典型的には、少なくとも部分的に着用者の皮膚と接触する。外層２８は、好ましくは繊維性層であり、その繊維は疎水性であるので、少なくとも１時間、好ましくは少なくとも６時間、及び最も好ましくは少なくとも２４時間の湿潤時間を有する。繊維性外層の疎水性は、ＡＳＴＭ−Ｄ  １１１７−８０法による液体吸収時間試験に従って決定される。かかる疎水性の繊維性外層を設けることにより、特に快適な皮膚に対する感覚がバッグに付与され、特におむつと共に利用する時、流体が身体排出物処理デバイスの壁材の外層に吸収されずに、おむつのコア内で吸収されることが保証されるということが分かった。繊維性外層２４は、疎水性条件を満たすいかなる繊維を含んでもよい。好適な繊維としては、ポリエステル繊維、ポリプロピレン繊維、ポリエチレン繊維、ポリアミド繊維及びこれらの混合物などのそれ自体疎水性条件を満たす繊維が挙げられる。あるいは、要求された疎水性条件を付与するべく、例えば油などの特定の仕上げ処理剤を利用して処理された繊維も、本明細書において有効に利用できる。更に、疎水性繊維又は処理した疎水性繊維の混合物も利用できる。繊維性外層２４は、織布層又は不織布層として、好ましくは不織布層として設けられてもよい。内層２６は、好ましくは、バッグ１４に収容された糞便物質などの身体排出物が漏れないように液体不透過性層である。
【００３４】
１つの好ましい実施形態において、着用者に面する部分２２は、不織布外層２４及びフィルム内層２６を含む２つの層から形成された積層体を含んでもよい。あるいは、着用者に面する部分２２は、３つ以上の層、好ましくは１つのフィルム層と２つの不織布層を含んでもよい。更により好ましい実施形態においては、フィルムは２つの不織布層間に挿入される。この層の順序により、着用者の皮膚との接触時に特に心地良い感覚を与えるきめの細かい繊維性構造が得られる。
【００３５】
外層２４用に利用される代表的な不織布としては、フェルト布帛、スパンレース布帛、流体ジェット交絡布帛、エアレイド布帛、湿式布帛、乾式布帛、メルトブロウン布帛、短繊維カーディング布帛、スパンボンド布帛、ステッチボンド布帛、有孔布帛、又は上記の組み合わせなどが挙げられる。かかる不織布は、着用者の皮膚に不均一な表面を呈するので、密閉されてしまうという問題を著しく低減し、皮膚の健康状態を大幅に向上させる。外層２４用の不織布は、好ましくは疎水性繊維の不織布層である。好ましくは、必要な疎水性を付与すべく、不織布をフッ素化学品又は他の疎水性仕上げ剤などの表面活性物質で処理する。しかしながら、不織布は、ホットメルト接着剤などの液体不透過性物質のコーティング、又はシリコンコーティング若しくはゴム、植物性ワックス、及び鉱物性ワックスなどその他の疎水性化合物のコーティングで同様に処理してもよいし、例えば、ナノ粒子又はプラズマコーティング技法を使って、物理的に処理してもよい。不織布はまた、着用者に面する部分２０の触って感じる柔軟性を向上させる薬剤で処理することもできる。この薬剤としては、植物油、動物油、合成油、シリコン油などが挙げられるが、これらに限定されない。これらの薬剤の存在は、着用者にべたべた感又は油っぽい感覚を与えずに、不織布にすべすべした絹様又はフランネル様の感触を与えることが既知である。また、陰イオン性、非陰イオン性、陽イオン性、及び非陽イオン性の界面活性剤を含む界面活性物質を加えて、柔軟性及び表面の滑らかさを更に高めてもよい。更に、所望の治療効果又は保護コーティングのローション効果をもたらすために、不織布層にローションを含浸させてもよい。着用者に面する部分２０上のローションコーティングは、通常の接触及び着用者の動き及び／又は身体熱により、着用者の皮膚へ移動可能である。一般的に、ローションの形態での鉱物油は、着用者の皮膚に滑らかな保護コーティングを与える際に効果的なものとして認知されている。不織布層を、クリーム製剤の固体油相に含浸させることや、例えば、ベビーオイルを含む、圧力、熱、又は流体によって破ることのできるカプセルの配列を組み込むこともまた可能である。
【００３６】
内層２６用の代表的なフィルムとしては、熱可塑性材料が挙げられる。熱可塑性物質は、ホットメルト接着剤、ポリオレフィン、特にポリエチレン、ポリプロピレン、非晶性ポリオレフィン類など；セルロース−木材パルプ、木綿、黄麻、麻などの天然繊維を含む繊維又はポリマー結合剤を含む溶融可能成分含有材料；繊維ガラス、レーヨン、ポリエステル、ポリオレフィン、アクリル、ポリアミド、アラミド、ポリテトラフルオロエチレン金属、ポリイミドなどの合成繊維類；２成分高融点／低融点ポリマー、コポリマーポリエステル、ポリ塩化ビニル、ポリビニルアセテート／クロライドコポリマー、コポリマーポリアミド、幾つかの構成材料が溶融可能でないブレンドを含む材料などの結合剤類；エクソンケミカル社ＩＩＩ（EXXON Chemical Co.）（米国イリノイ州）から商品名ＥＸＸＡＩＲＥとして販売されている材料や三井東圧社（Mitsui Toatsu Co.）（日本）から商品名ＥＳＰＯＩＲ  ＮＯとして販売されている材料などの微小多孔性フィルムを含む空気及び蒸気透過性材料；並びに、デュポン（DuPont）（フランス）から入手可能なＨｙｔｒｅｌ（登録商標）やＥＬＦアトケム（ELF Atochem）（フランス）から入手可能なＰｅｂａｘ（登録商標）などのモノリシック通気性材料の全てのタイプから選択することができる。着用者の身体から出る水蒸気が捕捉されて凝結し、それにより使用開始から短期間で暑くじっとりとした不快な状態が生じるという問題を回避するために、内層２６用フィルムは液体不透過性であり、好ましくは空気などの気体及び水蒸気などの蒸気には透過性である。
【００３７】
バッグ１４の衣類に面する部分２４も、１つ又は複数の層を含んでもよい。好ましくは、衣類に面する部分２４は、内層及び外層を含む２つ以上の層を含む。衣類に面する部分の内層は、少なくとも部分的に糞便物質と接触する。衣類に面する部分の外層は、着用者の衣類又はおむつなどの着用者の吸収性物品と少なくとも部分的に接触する。衣類に面する部分２４の内層は、着用者に面する部分２２の内層２６と同じ材料を含んでもよい。衣類に面する部分２４の外層は、着用者に面する部分２２の外層２８と同じ材料を含んでもよい。あるいは、衣類に面する部分２４の内層及び／又は外層は、着用者に面する部分２２の層とは異なる材料を含んでもよい。
【００３８】
吸収性材料は、バッグ１４の内側に設けられてもよい。吸収性材料には、流体を吸収し保持できる、どのような吸収性材料も含むことができる。吸収性材料には、使い捨ておむつや、一般にエアフェルトと呼ばれる粉砕木材パルプなどの他の吸収性物品で主として使用される多様な流体吸収性材料を含むこともできる。その他の好適な吸収性材料の例としては、縮みセルロース詰め物（creped cellulose wadding）、コフォーム（coform）を含むメルトブローポリマー、化学的に剛化、変性、又は架橋されたセルロース繊維、ティッシュラップ及びティッシュラミネートを含むティッシュ、吸収性フォーム、吸収性スポンジ、超吸収性ポリマー、吸収性ゲル材料、若しくは他のあらゆる既知の吸収性材料、又はこれらの材料の組み合わせが挙げられる。
【００３９】
吸収性材料は、いかなる好適な方式ででも、バッグ１４内に配置することができる。例えば、吸収材料はバッグ内にゆるく位置付けされてもよいし、又はバッグ１４の内層に固定されてもよい。バッグの内層に吸収性材料を固定するために、吸収性材料を不織布及びフィルム基材に固定する既知のいかなる技法が用いられてもよい。吸収性材料も、あらゆる所望の形状又は構成（例えば、方形、楕円形、円形など）になるように配置することができる。
【００４０】
バッグ開口１６は、図１及び図２に示すように、バッグ１４上に設けられ、それにより糞便物質は、バッグ開口１６を通って身体から受容され、その後バッグ空洞内に格納される。バッグ開口１６は、バッグ１４の着用者に面する部分２０上に設けられる。バック開口１６は、円形、長円形、ハート形など、任意の形状又は大きさで設けられてよく、対称又は非対称であってもよいが、好ましくは、この開口は長手方向又は横方向のいずれかに長円構造を有する。バッグ開口は、着用者に面する部分２０の中心にあってもよく、又は着用者に面する部分２０の前端部３０又は着用者に面する部分２０の後端部３２へずれていてもよい。図１に示す実施形態において、バッグ開口１６は、横方向に広がる変形の長円構造を有し、着用者に面する部分２０の前端部３０へずれている。
【００４１】
第二取り付け手段３６は、バッグ開口１６に近接して、好ましくはそれを包囲する着用者の肛門周囲領域にバッグ１４を取り付けるために設けられる。第二取り付け手段３６は、バッグ１４の表面上に直接設けられてもよく、又は、第二フランジシートが設けられる場合には、バッグ１４の表面に接合されるこのようなフランジシート（第二フランジシート）１８上に設けられてもよい。第二取り付け手段３６は、上述のような第一取り付け具５０用の１つ以上の材料によって形成されてもよい。好ましくは、第一取り付け手段５０及び第二取り付け手段３６は、同じ材料によって形成される。図１及び図２に示す実施形態において、第一取り付け手段５０及び第二取り付け手段３６は、同じ材料によって連続して一体的に形成される。あるいは、第一取り付け手段５０及び第二取り付け手段３６は、別個の及び／又は異なる材料によって形成される。第一取り付け手段５０及び第二取り付け手段３６が連続して一体的に形成される時、一体型取り付け手段は、２つの環状物体を含む。第一取り付け手段５０及び第二取り付け手段３６の一部を含む一体型取り付け手段の接続部分７２は、体液処理デバイス１２とバッグ１０を隔てるセパレータとしての役割を果たすので、バッグ１０に収容された糞便が、着用者の生殖器領域に向かって漏れることはない。故に、接続部分７２は、身体排出物処理デバイス１０を着用者の身体に固定するのに十分な接着力を有するのが好ましい。しかしながら、バッグ開口１６と流体透過性トップシート５６の接続部分７２の幅は、この接続部分７２が、体液処理デバイス１２への尿の排出及びバッグ１０への糞便物質の排出を妨げないように最小化されることもまた好ましい。接続部分７２の幅は、１ｍｍ〜２５ｍｍ、好ましくは３ｍｍ〜１５ｍｍ、より好ましくは５ｍｍ〜１０ｍｍであってもよい。デバイスが着用者の身体に適用される時、接続部分７２は、着用者の肛門及び生殖器の間に位置付けされる。
【００４２】
第二取り付け手段３６は、好ましくは、第二取り付け手段３６を保護するべく、シリコン処理を施した紙などの剥離手段（図示せず）で被覆される。剥離手段が存在する場合、身体排出物処理デバイス１０を着用者の皮膚に適用する前にそれを取り外す。
【００４３】
第二フランジシート１８が設けられる場合（図１及び図２に示す実施形態では設けられている）、この第二フランジシート１８は当業者に知られている任意の方法によりバッグ１４に接合され、永久の又は取り外し可能な取り付けを設けることができる。好ましくは、第二フランジシート１８は、接着剤によってバッグ１４に取り付けられる。好ましくは、バッグ１４は、入ってくる糞便物質をいかようにも妨害しないように、第二フランジシート１８の外周近くで第二フランジシート１８に接合される。第二フランジシート１８は、デバイスが対象とする着用者群に応じて、いかなる大きさで設けられてもよい。同様に、第二フランジシート１８は、いかなる形状で設けられてもよい。図１及び図２に示す実施形態において、第二フランジシート１８は、一般には第二取り付け手段３６と同一の広がりを持ち、より好ましくは、第二取り付け手段３６全体を支持すべく、第二取り付け手段３６よりも少し大きい。第二フランジシート１８は、非接着性である複数のローブ３４を有するので、接着剤との接触を避けつつデバイスを配置及び除去し易くするのに役立つ。ローブ３４は、不織布などの柔軟な材料をその上に備えてもよい。第二フランジシート１８は、上述のような第一フランジシート６８用の１つ以上の材料で形成されてもよい。好ましくは、第一フランジシート６８及び第二フランジシート１８は、同じ材料で形成される。図１及び図２に示す実施形態において、第一フランジシート６８及び第二フランジシート１８は、同じ材料によって連続して一体的に形成される。あるいは、第一フランジシート６８及び第二フランジシート１８は、別個の及び／又は異なる材料で形成される。
【００４４】
体液処理デバイス１２は、バッグ開口１６と密接に関連するようにバッグ１０に接合される。体液処理デバイス１２の位置は、バッグ開口１６の位置に関連して決定され、体液処理デバイス１２の中心は、好ましくは使用中着用者の生殖器領域（女性の尿道及び膣領域、並びに男性の陰茎領域）に来るように配置され、バッグ開口１６は、使用中着用者の肛門周囲領域に来るように配置される。体液処理デバイス１２及びバッグ１０は、２つの物体を接合する任意の知られている方法によって互いに接合され、身体排出物処理デバイス１０を形成する。図１及び図２に示す実施形態において、体液処理デバイス１２は、周囲端６６とバッグ１０の着用者に面する部分２０の前部端３０に近接する周囲リム２４の間を接着取り付け部（図１及び図２には図示せず）で取り付けることによってバッグ１０に接合される。更に、第一フランジシート６８及び第二フランジシート１８から一体的に連続して形成されたフランジシートは、体液処理デバイス１２とバッグ１０を接合する別の手段を備える。
【００４５】
本発明の身体排出物処理デバイス１０は、図３に示すように、使い捨ておむつ１００などの吸収性物品と共に使用する時に特に有用且つ有益であることが分かった。図３に示す好ましいおむつ１００は、身体部分１０２及び再締結可能な締結具１０４を含む。好ましい身体部分１０２は、液体透過性トップシート１０６、液体不透過性バックシート１１０、トップシート１０６とバックシート１１０の間に位置する吸収性コア（図示せず）、弾性的に収縮可能なレッグカフ１１２、及びレッグカフ１１２の内側に配置されたバリアカフ１１４を含む。好ましくは、まず、使い捨ておむつ１００が適用される前に、身体排出物処理デバイス１０が第一取り付け手段５０及び第二取り付け手段３６によって身体に接合され、体液処理デバイス１２が着用者の生殖器領域を被覆すると共にバッグ１０が着用者の肛門周囲領域を被覆するようにする。次いで、おむつ１００は、身体排出物処理デバイス１０を覆って配置され、従来の様式で着用者の身体周りに締結される。身体排出物処理デバイス１０がおむつ１００と共に着用される時、体液処理デバイス１２の対向表面５４は、好ましくは、おむつ１００のトップシート１０６と接触する。結果として、排出された糞便物質はバッグ１０内に収容され、排出された尿は、体液処理デバイス１２によって獲得され、次いで体液処理デバイス１２を通過して（より具体的には流体透過性トップシート５６、獲得層６０、分配層６２及び流体透過性バックシート５８を通過して）おむつ１００のトップシート１０６に向かうので、糞便物質と尿は互いに分離される。次いで、排出された尿は、おむつ１００のトップシートを通っておむつ１００の吸収性コアに吸収される。糞便物質はバッグ１０に収容されるので、バッグ開口１６に曝された皮膚部分以外の着用者の皮膚をこの糞便物質が汚すことはない。更に、生殖器領域は体液処理デバイス１２によって保護されるので、たとえ糞便物質が漏れたとしても、そのバッグ１０から漏れ出した糞便物質によって着用者の生殖器が汚されることはない。
【００４６】
図４は、本発明の体液処理デバイスの別の実施形態を示す。図４に示す体液処理デバイス２００は、体液処理デバイス２００がバッグに接合されていないという事実を除いて、図１及び図２に示す体液処理デバイス１２と同様の構造を有する。体液処理デバイス２００は、身体に面する表面２０２及び対向表面２０４を有する。体液処理デバイス２０２は、流体透過性トップシート２０６、流体不透過性バックシート２０８、獲得層及び分配層（図４では図示せず）を含む。体液処理デバイス２００は、更に、着用者の生殖器領域を被覆すべく、着用者の身体に接着的に取り付けるための第一取り付け手段２１２を含む。第一フランジシート２１０は、第一取り付け手段２１２とトップシート２０６の周囲の間に設けられてもよい。体液処理デバイス２００は、単独で又は吸収性物品などの他の物品と共に使用してもよい。例えば、体液処理デバイス２００は、図３に示すように使い捨ておむつと共に使用してもよい。あるいは、体液処理デバイス２００は、生理用ナプキンなど女性用の保護具と共に使用してもよい。いずれの場合も、体液処理デバイス２００は、好ましくは、排出された身体排出物から着用者の生殖器領域を保護するために、取り付け手段によって着用者の身体に接合される。
【００４７】
また、本明細書で特定する限界及び範囲の全てが、特定した限界及び範囲内のあらゆるより狭い範囲、限界及び量を含み、これらの限界及び範囲を別々に記載していなくても、こうしたより狭い範囲及び限界を請求してよいことは当然理解されるべきである。本発明の特定の実施形態を説明し記載したが、本発明の趣旨及び範囲から逸脱することなく、様々な他の変更及び修正が可能であることは、当業者に明らかである。
【図面の簡単な説明】
【００４８】
【図１】本発明の一実施形態としての、体液処理デバイス及びバッグを含む身体排出物処理デバイスの斜視図である。
【図２】線ＩＩ−ＩＩに沿う図１の断面図である。
【図３】吸収性物品の一例としての使い捨ておむつと共に使用する身体排出物処理デバイスの一実施形態の斜視図である。
【図４】本発明の体液処理デバイスの代替実施形態の斜視図である。
【国際公開パンフレット】
2004528898.tif 000003
2004528898.tif 000004
2004528898.tif 000005
2004528898.tif 000006
2004528898.tif 000007
2004528898.tif 000008
2004528898.tif 000009
2004528898.tif 000010
2004528898.tif 000011
2004528898.tif 000012
2004528898.tif 000013
2004528898.tif 000014
2004528898.tif 000015
2004528898.tif 000016
2004528898.tif 000017
2004528898.tif 000018
2004528898.tif 000019
2004528898.tif 000020
2004528898.tif 000021
2004528898.tif 000022
2004528898.tif 000023
2004528898.tif 000024
2004528898.tif 000025
2004528898.tif 000026
2004528898.tif 000027
2004528898.tif 000028
2004528898.tif 000029
2004528898.tif 000030
2004528898.tif 000031
【国際調査報告】
2004528898.tif 000032
2004528898.tif 000033
2004528898.tif 000034
2004528898.tif 000035
2004528898.tif 000036